(57)【要約】【課題】容易に成形することができ、しかも組み立ても簡単で、低コスト化を図ることのできるレンズ鏡胴を提供する。【解決手段】複数のレンズＬを保持し、光軸方向に前後移動するレンズ鏡胴１は、内部に空洞２を有し、該空洞２に複数のレンズＬが嵌め込まれることによってレンズＬを保持する鏡胴本体３を備えている。そして、鏡胴本体３は二分割された上側半鏡胴４と下側半鏡胴５とを互いに組み合わせてなり、空洞２の前面には、該空洞２の一部を覆い、レンズＬを通過する光を所定量に規制する規制部６が鏡胴本体３と一体に成形されている。【選択図】図１
2006023632.tif 000002
【特許請求の範囲】
【請求項１】
複数のレンズを保持し、光軸方向に前後移動するレンズ鏡胴であって、
内部に空洞を有し、該空洞に複数のレンズが嵌め込まれることによってレンズを保持する鏡胴本体を備え、鏡胴本体は二分割された半鏡胴を互いに組み合わせてなり、
前記空洞の前面には、該空洞の一部を覆い、前記レンズを通過する光を所定量に規制する規制部が前記鏡胴本体と一体に成形されていることを特徴とするレンズ鏡胴。
【請求項２】
前記二分割された半鏡胴は、互いに嵌合可能であることを特徴とする請求項１に記載のレンズ鏡胴。
【請求項３】
前記規制部によって一部が覆われてなる前記空洞は断面視略矩形状であることを特徴とする請求項１又は２に記載のレンズ鏡胴。
【発明の詳細な説明】
【技術分野】
【０００１】
本発明は、複数のレンズを保持し、光軸方向に前後移動するレンズ鏡胴に関する。
【背景技術】
【０００２】
従来より、複数のレンズ群を保持し、前後方向に駆動しながら変倍や焦点調節を行うために使用されるレンズ鏡胴が知られている。このようなレンズ鏡胴は、一般に円筒状の構成とされており、円筒状の開口部から光線がレンズ群に入射されるようになっている（例えば、特許文献１参照）。
また、このようなレンズ鏡胴において、実際に使用する光線の範囲は矩形状であるので、余分な光線を遮蔽するために絞り等を別体に構成して取り付けている。具体的に、プロジェクターでは有害光が映し出される等の問題があるためレンズ鏡胴あるいは別の箇所に矩形状などの有害光防止用の絞りを後付けしている。
【特許文献１】特開平１０−２２７９６１号公報
【発明の開示】
【発明が解決しようとする課題】
【０００３】
しかしながら、レンズ鏡胴に絞りを後付けするには、製造に手間がかかるとともに組み立ても複雑でコストが高くなるという問題がある。そこで、例えば、レンズ鏡胴と絞りとを一体に成形しようとすると、円筒状の構成に矩形状の部材を一体に成形しなくてはならないので、成形用の金型の形状等が複雑となり実質上その成形が極めて難しいとされている。
本発明は、上記事情に鑑みてなされたもので、容易に成形することができ、しかも組み立ても簡単で、低コスト化を図ることのできるレンズ鏡胴を提供することを目的としている。
【課題を解決するための手段】
【０００４】
上記課題を解決するために、請求項１の発明は、例えば、図１、図２に示すように、複数のレンズＬを保持し、光軸方向に前後移動するレンズ鏡胴１であって、
内部に空洞２を有し、該空洞に複数のレンズが嵌め込まれることによってレンズを保持する鏡胴本体３を備え、鏡胴本体は二分割された半鏡胴（例えば、上側半鏡胴４、下側半鏡胴５）を互いに組み合わせてなり、
前記空洞の前面には、該空洞の一部を覆い、前記レンズを通過する光を所定量に規制する規制部６が前記鏡胴本体と一体に成形されていることを特徴とする。
【０００５】
請求項１の発明によれば、鏡胴本体は二分割された半鏡胴を互いに組み合わせてなり、空洞の前面には、空洞の一部を覆い、レンズを通過する光を所定量に規制し余分な光を遮断する規制部が鏡胴本体と一体に成形されているため、従来のようにレンズ鏡胴に絞りを後付けするといった工程を経ることなく、二分割された半鏡胴を互いに組み合わせるだけで容易に絞り機能を備えた鏡胴本体とすることができる。しかも、鏡胴本体は二分割された半鏡胴からなるため、複雑な形状の金型を用意することなく、一つの金型で簡単に成形することができ、低コスト化を図ることができる。
【０００６】
請求項２の発明は、例えば、図１、図２に示すように、請求項１に記載のレンズ鏡胴において、
前記二分割された半鏡胴は、互いに嵌合可能であることを特徴とする。
【０００７】
請求項２の発明によれば、二分割された半鏡胴を互いに嵌合させることによって簡単に組み合わせて鏡胴本体とすることができる。
【０００８】
請求項３の発明は、例えば、図１、図２に示すように、請求項１又は２に記載のレンズ鏡胴において、
前記規制部によって一部が覆われてなる前記空洞２aは断面視略矩形状であることを特徴とする。
【０００９】
請求項３の発明によれば、規制部によって一部が覆われてなる空洞は断面視略矩形状であるので、円板状であるレンズの上下端部及び左右端部が覆われ、絞りとして機能する。また、形状も単純となることから製造も容易で低コスト化を図ることができる。
【発明の効果】
【００１０】
本発明に係るレンズ鏡胴によれば、鏡胴本体は二分割された半鏡胴を互いに組み合わせてなり、空洞の前面には、空洞の一部を覆い、レンズを通過する光を所定量に規制し余分な光を遮断する規制部が鏡胴本体と一体に成形されているため、半鏡胴を互いに組み合わせるだけで容易に絞り機能を備えた鏡胴本体とすることができる。しかも、複雑な形状の金型を用意することなく一つの金型で簡単に成形することができ、低コスト化を図ることができる。
【発明を実施するための最良の形態】
【００１１】
以下、本発明の実施の形態について図面を参照しながら説明する。
図１は、本発明の実施の形態のレンズ鏡胴の分解斜視図、図２は、半鏡胴が組み合わされてなるレンズ鏡胴の斜視図である。
なお、本実施の形態では、プロジェクターに使用される投射レンズを保持するレンズ鏡胴に適用する場合を例に挙げて説明する。
図１に示すように、本発明に係るレンズ鏡胴１は、複数のレンズＬを保持し光軸方向に前後移動可能とされている。
このレンズ鏡胴１は、内部に空洞２を有し、空洞２に複数のレンズＬが嵌め込まれることによってレンズＬを保持する鏡胴本体３を備えている。鏡胴本体３は、上下に二分割された上側半鏡胴４と下側半鏡胴５とを互いに組み合わせてなる。
上側半鏡胴４と下側半鏡胴５とは、ともに内部に空洞２を有し断面視略半円形状である。これら半鏡胴４、５は、径の大きな前側半鏡胴４１、５１と、前側半鏡胴４１、５１の後側に設けられて該前側半鏡胴４１、５１の径よりも小さく、後方に延在する長尺な後側半鏡胴４２、５２とを備えている。これら前側半鏡胴４１、５１と後側半鏡胴４２、５２とは一体に成形されている。
【００１２】
また、各半鏡胴４、５の向かい合う端面には、嵌合可能な凸部８と孔部９とが複数形成されている。さらに、各半鏡胴４、５の向かい合う端面には、ネジＮが止着されるネジ止め部１０が複数形成されている。そして、これら各凸部８と孔部９とが互いに嵌合し組み合わされるとともに、ネジＮがネジ止め部１０に止着されることによって鏡胴本体３が構成されている。
また、鏡胴本体３に形成された空洞２の前面には、該空洞２の一部を覆い、レンズＬを通過する光を所定量に規制する規制部６が鏡胴本体３と一体に成形されている。
すなわち、空洞２は各半鏡胴４、５に複数の縦溝Ｍが前後に形成されてなり、このうち最前の縦溝Ｍaによって形成される空洞２aは、規制部６によって覆われることにより断面視略矩形状とされている。この規制部６は鏡胴本体３の前面に一体に成形され、縦溝Ｍaに挿入されたレンズＬの上下端部及び左右端部を覆っている。また、その他の縦溝Ｍbによって形成される空洞２bは断面視略円形状である。
【００１３】
このように構成されたレンズ鏡胴１は、図２に示すように、後側半鏡胴４２、５２の外側に、該外側を覆うようにして固定筒７が取り付けられている。すなわち、後側半鏡胴４２の上面にネジ孔４２aが２箇所突出して形成されており、これらネジ孔４２aが固定筒７の孔部７１内に挿通されるとともに孔部７１にネジＮが止着されることによって固定筒７が取り付けられている。
【００１４】
なお、本発明に係るレンズ鏡胴１は、例えば半鏡胴４、５と同形状の成形用金型内に加熱溶融されたポリカーボネートやＡＢＳ樹脂等の種々の樹脂を流し込んで、脱型することによって成形される。
成形後は、下側半鏡胴５の各縦溝Ｍ内に複数のレンズＬを挿入し、下側半鏡胴５の凸部８や孔部９に、上側半鏡胴４の孔部９や凸部８を嵌合させ、さらにネジ止め部１０にネジＮを挿通して止着することによって上側半鏡胴４及び下側半鏡胴５を組み合わせる。
さらに、後側半鏡胴４２のネジ孔４２aを固定筒７の孔部７１に挿通させたうえでネジＮを止着することによって後側半鏡胴４２、５２の外側に固定筒７を取り付ける。
【００１５】
以上、本発明の実施の形態のレンズ鏡胴１によれば、鏡胴本体３は上下に二分割された上側半鏡胴４と下側半鏡胴５とを互いに組み合わせてなり、空洞２の前面には空洞２の一部を覆い、レンズＬを通過する光を所定量に規制し余分な光を遮断する規制部６が鏡胴本体３と一体に成形されているため、上側半鏡胴４と下側半鏡胴５とを互いに組み合わせるだけで容易に絞り機能を備えた鏡胴本体３とすることができる。また、鏡胴本体３は、半円筒状の上側半鏡胴４と下側半鏡胴５とからなるため、複雑な形状の金型を用意することなく、しかも、これら半鏡胴４、５は同形状であるので一つの金型で簡単に成形することができ、低コスト化を図ることができる。
さらに、上側半鏡胴４と下側半鏡胴５とは、凸部８と孔部９とを互いに嵌合させることによって簡単に組み合わせて鏡胴本体３とすることができる。
また、規制部６によって一部が覆われてなる空洞２aは断面視略矩形状であるので、レンズＬの上下端部及び左右端部が覆われ、絞りとして機能し、さらに形状も単純であり、容易に製造できコストを低減できる。
【００１６】
なお、本発明は上記実施の形態に限定されるものではなく、その要旨を逸脱しない範囲で適宜変更可能である。
例えば、上記実施の形態の鏡胴本体３は上下に二分割された上側半鏡胴４と下側半鏡胴５とを組み合わせてなるものとしたが、左右に二分割された半鏡胴を組み合わせて構成しても構わない。また、規制部６の形状は上記形状に限らず変更しても良い。
【００１７】
上記実施の形態では、プロジェクターの投射レンズに適用する場合について説明したが、例えば別の用途として、カメラの撮影レンズを保持するレンズ鏡胴に適用しても良い。この場合、固定筒７はカメラ本体に固定され、また、前側半鏡胴４１、５１の外側で、かつ、固定筒７の外側にはヘリコイド筒（図示略）が設けられ、前側半鏡胴４１、５１にネジで固定されるとともに固定筒７の外周面に形成されたヘリコイドネジに螺合することによって取り付けられる。さらに、ヘリコイド筒の外側には回転可能な回転筒（図示略）が設けられる。したがって、カメラ本体の駆動回路等によって回転筒が繰り出し方向に回転すると、その回転に伴ってヘリコイド筒が回転するとともに前進し、これによりレンズ鏡胴１も回転するとともに前方に繰り出されるようになる。
一方、ヘリコイド筒及びレンズ鏡胴１が繰り出された状態で、カメラ本体の駆動回路等によって回転筒が繰り出し方向とは逆の方向に回転すると、上記繰り出し時の動作とは逆の動作により、ヘリコイド筒及びレンズ鏡胴１が後方へ繰り込まれるようになる。このようにしてレンズ鏡胴１が前後移動しながら変倍や焦点調節が行われる。
【図面の簡単な説明】
【００１８】
【図１】本発明の実施の形態を示すためのもので、レンズ鏡胴の分解斜視図である。
【図２】同、半鏡胴が組み合わされてなるレンズ鏡胴の斜視図である。
【符号の説明】
【００１９】
１  レンズ鏡胴
２、２a  空洞
３  鏡胴本体
４  上側半鏡胴（半鏡胴）
５  下側半鏡胴（半鏡胴）
６  規制部
Ｌ  レンズ
【図１】
2006023632.tif 000003
【図２】
2006023632.tif 000004